(57)【要約】【課題】簡単な構造でありながら、車両の荷台にフォークリフトを用いなくても積み降ろしできるコンテナの提供を目的とする。【解決手段】コンテナ本体と、当該コンテナ本体の前部と後部とに、それぞれ正面視で門構え形状の支持具を備え、前記前後の支持具がコンテナ本体に着脱自在に取り付け可能であることを特徴とする。【選択図】  図１
2014054893.tif 000002
【特許請求の範囲】
【請求項１】
コンテナ本体と、当該コンテナ本体の前部と後部とに、それぞれ正面視で門構え形状の支持具を備え、
前記前後の支持具がコンテナ本体に着脱自在に取り付け可能であることを特徴とする積み降ろし自在コンテナ。
【請求項２】
前記支持具は、コンテナ本体に対して直立状態に固定する手段と、斜めに傾斜支持する手段を有することを特徴とする請求項１記載の積み降ろし自在コンテナ。
【請求項３】
前記傾斜支持する手段は、支持具の直立状態と傾斜状態とを許容するものであることを特徴とする請求項１又は２記載の積み降ろし自在コンテナ。
【請求項４】
前記支持具が直立状態ではコンテナ本体の底部と車両の荷台との間に所定の隙間が形成されるものであることを特徴とする請求項１〜３のいずれかに記載の積み降ろし自在コンテナ。
【請求項５】
前記支持具の下端部はキャスターを有することを特徴とする請求項１〜４のいずれかに記載の積み降ろし自在コンテナ。
【発明の詳細な説明】
【技術分野】
【０００１】
本発明は荷物を収納したコンテナを、フォークリフトを用いなくても車両等に積み降ろしできる当該コンテナに関する。
【背景技術】
【０００２】
コンテナを車両の荷台に積み降ろしするのに一般的にフォークリフトが使用されている。
しかし、一般家庭等ではフォークリフトを備えていない場合も多く、例えば軽四輪トラック等の荷台にコンテナを積み降ろしすることはできなかった。
特許文献１には、ダンプ装置を有する着脱自在なダンプ荷台の支脚構造を開示し、特許文献２には運搬車の荷台支承装置を開示するが、いずれも構造が複雑であり、一般家庭，個人商店，中小企業等にて使用できるものではなかった。
【先行技術文献】
【特許文献】
【０００３】
【特許文献１】実開昭６１−８７１３８号公報
【特許文献２】実公昭６０−３３０６７号公報
【発明の概要】
【発明が解決しようとする課題】
【０００４】
本発明は簡単な構造でありながら、車両の荷台にフォークリフトを用いなくても積み降ろしできるコンテナの提供を目的とする。
【課題を解決するための手段】
【０００５】
本発明に係る積み降ろし自在コンテナは、コンテナ本体と、当該コンテナ本体の前部と後部とに、それぞれ正面視で門構え形状の支持具を備え、前記前後の支持具がコンテナ本体に着脱自在に取り付け可能であることを特徴とする。
ここで、支持具は、コンテナ本体に対して直立状態に固定する手段と、斜めに傾斜支持する手段を有し、傾斜支持する手段は、支持具の直立状態と傾斜状態とを許容するものであり、支持具が直立状態ではコンテナ本体の底部と車両の荷台との間に所定の隙間が形成されるものである。
【０００６】
本発明においてコンテナとは、商品，荷物等を収納し、運搬するためのボックス状のものをいう。
また、正面視で門構え形状の支持具とは、車両にコンテナを積み降ろしする際にコンテナを移動させる方向に向かって見た状態をいう。
コンテナをトラック等の荷台に積み降ろしする際にコンテナをそのまま水平方向に移動できるように支持具の下端部にキャスターを設けるのが好ましい。
また、支持具を折り畳み式又は組み立て式にすると持ち運びが容易である。
本発明に係るコンテナは従来のようにフォークリフトを用いて車両の荷台に積み降ろしできるものであってもよいが、フォークリフトを用いなくても積み降ろしできるものをいう。
【発明の効果】
【０００７】
本発明に係るコンテナは、支持具をコンテナに対して直立状態に固定した状態では、コンテナの底部の高さが車両の荷台の上面の高さよりも高く、このコンテナを支持具に支持させた状態で荷台に沿って相対的に水平移動させることができる。
コンテナが荷台の上に位置した状態で支持具を斜めにすると、コンテナが荷台の上に載置された状態になり、支持具を取り外すことでコンテナを荷台に積み込む作業が終了する。
コンテナを荷台から降ろす際には、まずコンテナに対して前後方向であって下端が後方側になるように斜め状態に支持具を取り付け、トラックをゆっくりバックさせるとトラックのキャビンの部分でコンテナを押圧し、支持具が直立するようにコンテナが上昇する。
このようにして、支持具が直立するとコンテナが荷台から浮いた状態になり、コンテナを後方に移動するか、あるいはトラックを前進させることでコンテナを荷台から降ろすことができる。
【０００８】
本発明では支持具を門構え形状にしたので、従来の支柱をコンテナの側部にそれぞれ取り付けたものよりも強度が高く、取扱いも容易である。
【図面の簡単な説明】
【０００９】
【図１】コンテナをトラックの荷台に積み込む手順を示す。（ａ），（ｂ）はコンテナを荷台に移動、（ｃ）は支持具を斜めにした状態を示す。
【図２】支持具の構造例を示す。（ａ），（ｂ）は支持具をコンテナから取り外した状態、（ｃ）は支持具を分解した状態を示す。
【図３】コンテナをトラックの荷台から降ろす手順を示す。
【図４】コンテナの支持具とトラックに荷台との位置関係を示す。
【図５】コンテナを支持具で直立支持させた状態を示し、（ａ）は正面視、（ｂ）は背面視を示す。
【図６】（ａ），（ｂ）は傾斜支持部の拡大図を示し、（ｃ）は傾斜支持した状態を示す。
【図７】（ａ）はトラックのキャビンにコンテナを連結した状態を示し、（ｂ）はキャスターの例を示す。
【発明を実施するための形態】
【００１０】
本発明に係る積み降ろし自在のコンテナ１０の構造例を以下図面に基づいて説明する。
本発明は本実施例に限定はされない。
図１，２はコンテナを軽四輪トラックの荷台に積み込み、支持具１２，１３を取り外す説明図を示し、図３はコンテナを荷台から降ろす手順を示す。
コンテナ本体１１はボックス状になっていて、図５（ｂ）に示すように扉１４とそのロック機構１４ａが設けられた例になっている。
コンテナ本体１１の前後に着脱自在に取り付ける支持具は、前支持具１２と後支持具１３とが一対になっていて同じ構造である。
図２（ｂ）は前支持具１２を示したもので、コ字形状の連結枠１２ａの両側にバー材からなる支柱部１２ｂをボルト等の連結具１２ｃにて組み立て及び分解可能にした例になっている。
本実施例は支柱部１２ｂの上端と途中の２ヶ所でボルト連結する例になっているが、連結方法はこれに限定されない。
支持具（支柱部）の下端には図７（ｂ）に示すようにロック機構１２ｇの備えたキャスター１２ｄを取り付けてある。
【００１１】
支持具１２，１３のコンテナ本体１１への取り付け構造例を説明する。
図４及び図６に示すようにコンテナの前部と後部との２ヶ所であって、それぞれ上部にリング状の連結具１１ａを固定連結し、支持具１２，１３には内側にのみ開くストッパー１２ｆ，１３ｆを有するフック部材１２ｅ，１３ｅを固定連結してある。
これにより、図６（ｃ）に示すように支持具１２，１３をコンテナ１１に対して斜めに傾斜支持した状態に連結することも図６（ａ），（ｂ）に示すように直立支持することも許容できる。
コンテナ本体１１の上部に設けたリング状の連結具１１ａより下側にて、このコンテナ本体１１と支持具１２，１３とがボルト等の連結具１１ｂにて相互に締結連結可能になっている。
【００１２】
図１（ａ）に示すように前支持具１２及び後支持具１３をコンテナ本体１１の前後にそれぞれ直立状態で固定してあると、コンテナ本体１１は前後の支持具１２，１３で支持された状態にある。
この状態でキャスター１２ｄのロックを外すと水平方向に移動が可能であり、門構えの支柱部１２ｂ，１３ｂの左右の間隔がトラック１の荷台２の幅寸法よりも大きくなっていて、コンテナ本体１１を荷台２に沿って移動できる。
また、キャスター１２ｄ，１３ｄをロックした状態でトラックをバックさせてもよい。
この状態では図１（ｂ）に示すように荷台２の上面とコンテナ底部との間に隙間Ｈだけ浮いた状態になっているが、前後の支持具１２，１３の下側の連結具１１ｂを緩め、外すと図１（ｃ）に示すように支持具１２，１３が斜めになり、コンテナ本体１１が荷台２の上に載置された状態になる。
支持具１２，１３の上部の連結部１１ａも取り外すと図２（ａ）の状態になり、さらに支柱部１２ｂを分解すると図２（ｃ）のようになり、荷台２やコンテナ本体１１の内部に収納できる。
【００１３】
荷台２からコンテナを降ろす際には、図３（ａ）に示すように支持具１２，１３の上部のみをコンテナ本体１１に取り付ける。
この状態でキャスター１２ｄ，１３ｄのロック機構１２ｇ，１３ｇをＯＮにする。
図３（ａ）に示すようにトラック１をバック（Ｂ）させると、キャスター１２ｄ，１３ｄはロックされているので、支持具１２，１３は直立方向に起立する。
これにより、図３（ｂ）に示すようにコンテナ本体１１が荷台２から浮き上がり、支持具１２，１３の下側の連結部１１ｂも締結連絡する。
その後にトラック１を前進させると、図３（ｃ）に示すようにコンテナを荷台から降ろすことができる。
なお、コンテナをトラック輸送中は、図７（ａ）に示すようにキャビンのフレーム１ａにチェーン１５等を用いてコンテナの保持部１１ｃと繋ぐようにするとよい。
【符号の説明】
【００１４】
１          車両
２          荷台
１０        積み降ろし自在コンテナ
１１        コンテナ本体
１２        前支持具
１２ａ      連結枠
１２ｂ      支柱部
１２ｃ      連結具
１２ｄ      キャスター
１３        後支持具
【図１】
2014054893.tif 000003
【図２】
2014054893.tif 000004
【図３】
2014054893.tif 000005
【図４】
2014054893.tif 000006
【図５】
2014054893.tif 000007
【図６】
2014054893.tif 000008
【図７】
2014054893.tif 000009